(57)【要約】【課題】適切な撮影タイミングの撮影画像を容易に取得可能な撮影装置、プログラムおよび撮影装置の制御方法を提供する。【解決手段】携帯電話機１は、ディスプレイ３と、撮影画像を取得する撮影部２０と、タッチ操作を受け付けるタッチ検出部１５と、主記憶部１２および補助記憶部１３と、制御部１１を備える。制御部１１は、撮影部２０により所定の時間間隔で撮影された連続撮影画像を主記憶部１２に一時的に記憶し、タッチ検出部１５が、シャッターアイコンＣ１に対するタッチ操作を受け付けると、主記憶部１３に記憶された連続撮影画像群の中からユーザが所定の撮影画像を選択するためのポストビュー画面Ｖ２をディスプレイ３に表示する。制御部１１は、タッチ検出部１５が撮影画像に対するタッチ操作を受け付けると、選択された撮影画像を補助記憶部１３に記憶する。【選択図】図２
2014183564.tif 000002
【特許請求の範囲】
【請求項１】
表示部と、
撮影画像を取得する撮影部と、
操作を受け付ける操作受付部と、
第１の記憶部および第２の記憶部と、
撮影制御部と、を備え、
前記撮影制御部は、
前記撮影部により所定の時間間隔で撮影された連続撮影画像を前記第１の記憶部に一時的に記憶し、
前記操作受付部が、第１の操作を受け付けると、前記第１の記憶部に記憶された連続撮影画像群の中からユーザが所定の撮影画像を選択するための選択画面を前記表示部に表示し、
前記操作受付部が撮影画像を選択する操作を受け付けると、選択された撮影画像を第２の記憶部に記憶する、
ことを特徴とする撮影装置。
【請求項２】
請求項１に記載の撮影装置において、
前記撮影制御部は、前記第１の操作がなされる前に前記連続撮影を開始する、
ことを特徴とする撮影装置。
【請求項３】
請求項１または２に記載の撮影装置において、
前記撮影制御部は、前記第１の操作がなされた後、所定の時間が経過するまでの間、前記連続撮影を継続する、
ことを特徴とする撮影装置。
【請求項４】
請求項３に記載の撮影装置において、
前記撮影制御部は、前記連続撮影画像群のうち、前記第１の操作がなされた時点に最も近い時点で撮影された前記連続撮影画像を前記選択画面の初期画面に含める、
ことを特徴とする撮影装置。
【請求項５】
請求項１ないし４の何れか一項に記載の撮影装置において、
前記撮影制御部は、前記操作受付部が受け付けた第２の操作に応じて、前記選択画面に含める前記連続撮影画像を遷移させる、
ことを特徴とする撮影装置。
【請求項６】
請求項５に記載の撮影装置において、
前記操作受付部は、前記表示部に対するタッチ操作を検出するタッチ検出部を含み、
前記撮影制御部は、前記選択画面に前記撮影画像を選択するための第１の操作オブジェクトを含め、前記第１の操作オブジェクトに対する前記タッチ操作に応じて、前記選択画面に含める前記連続撮影画像を遷移させる、
ことを特徴とする撮影装置。
【請求項７】
請求項６に記載の撮影装置において、
前記第１の操作オブジェクトは、スライド操作の対象となるオブジェクトであり、
前記撮影制御部は、前記第１の操作オブジェクトに対する前記スライド操作のスライド量に応じて、前記選択画面に含める前記連続撮影画像を遷移させる、
ことを特徴とする撮影装置。
【請求項８】
請求項６または７に記載の撮影装置において、
前記撮影制御部は、前記連続撮影画像とは異なる撮影画像を前記撮影部により連続的に撮影して、撮影された撮影画像が順次表示される参照画面を表示部に表示するとともに、第２の操作オブジェクトを前記参照画面に含め、
前記操作受付部は、前記第２の操作オブジェクトに対する前記タッチ操作を前記第１の操作として受け付ける、
ことを特徴とする撮影装置。
【請求項９】
表示部と、撮影画像を取得する撮影部と、操作を受け付ける操作受付部と、第１の記憶部および第２の記憶部と、を備える撮影装置のコンピュータに、
前記撮影部により所定の時間間隔で撮影された連続撮影画像を前記第１の記憶部に一時的に記憶する機能と、
前記操作受付部が、第１の操作を受け付けると、前記第１の記憶部に記憶された連続撮影画像群の中からユーザが所定の撮影画像を選択するための選択画面を前記表示部に表示する機能と、
前記操作受付部が撮影画像を選択する操作を受け付けると、選択された撮影画像を第２の記憶部に記憶する機能を、
付与するプログラム。
【請求項１０】
表示部と、撮影画像を取得する撮影部と、操作を受け付ける操作受付部と、第１の記憶部および第２の記憶部と、を備える撮影装置の制御方法であって、
前記撮影部により所定の時間間隔で撮影された連続撮影画像を前記第１の記憶部に一時的に記憶するステップと、
前記操作受付部が、第１の操作を受け付けると、前記第１の記憶部に記憶された連続撮影画像群の中からユーザが所定の撮影画像を選択するための選択画面を前記表示部に表示するステップと、
前記操作受付部が撮影画像を選択する操作を受け付けると、選択された撮影画像を第２の記憶部に記憶するステップと、
を含む制御方法。
【発明の詳細な説明】
【技術分野】
【０００１】
本発明は、デジタルカメラ、カメラを備える携帯電話機、ＰＤＡ（PersonalDigital Assistant）、タブレットＰＣ（Tablet PC）、電子書籍端末等の撮影装置に関する。また、本発明は、かかる撮影装置に用いて好適なプログラムおよび制御方法に関する。
【背景技術】
【０００２】
近年、カメラが搭載された携帯電話機が、広く普及している。かかる携帯電話機において、被写体を連続で撮影する連写機能を有する携帯電話機が知られている（たとえば、特許文献１参照）。
【先行技術文献】
【特許文献】
【０００３】
【特許文献１】特開２００５−２２９１９０号公報
【発明の概要】
【発明が解決しようとする課題】
【０００４】
上記の携帯電話機では、ユーザは外部記憶媒体に記録された多数の撮影画像から、所望の撮影画像を選択する煩雑な作業を行う必要がある。また、外部記憶媒体の容量の逼迫を解消するために、ユーザは、撮影画像を削除するための煩雑な作業を行う必要がある。
【０００５】
そこで、本発明は、適切な撮影タイミングの撮影画像を容易に取得可能な撮影装置、プログラムおよび撮影装置の制御方法を提供することを目的とする。
【課題を解決するための手段】
【０００６】
本発明の第１の態様に係る撮影装置は、表示部と、撮影画像を取得する撮影部と、操作を受け付ける操作受付部と、第１の記憶部および第２の記憶部と、撮影制御部と、を備える。前記撮影制御部は、前記撮影部により所定の時間間隔で撮影された連続撮影画像を前記第１の記憶部に一時的に記憶し、前記操作受付部が、第１の操作を受け付けると、前記第１の記憶部に記憶された連続撮影画像群の中からユーザが所定の撮影画像を選択するための選択画面を前記表示部に表示し、前記操作受付部が撮影画像を選択する操作を受け付けると、選択された撮影画像を第２の記憶部に記憶する。
【０００７】
第１の操作は、たとえば、ユーザが目標領域の画像を取得したいタイミングで行う、いわゆるシャッターを切る操作である。
【０００８】
本態様に係る撮影装置において、前記撮影制御部は、前記第１の操作がなされる前に前記連続撮影を開始するような構成とされ得る。
【０００９】
本態様に係る撮影装置において、前記撮影制御部は、前記第１の操作がなされた後、所定の時間が経過するまでの間、前記連続撮影を継続するような構成とされ得る。
【００１０】
このような構成とした場合、前記撮影制御部は、前記連続撮影画像群のうち、前記第１の操作がなされた時点に最も近い時点で撮影された前記連続撮影画像を前記選択画面の初期画面に含めるような構成とされ得る。
【００１１】
本態様に係る撮影装置において、前記撮影制御部は、前記操作受付部が受け付けた第２の操作に応じて、前記選択画面に含める前記連続撮影画像を遷移させるような構成とされ
得る。
【００１２】
本態様に係る撮影装置において、前記操作受付部は、前記表示部に対するタッチ操作を検出するタッチ検出部を含むような構成とされ得る。この場合、前記撮影制御部は、前記選択画面に前記撮影画像を選択するための第１の操作オブジェクトを含め、前記第１の操作オブジェクトに対する前記タッチ操作に応じて、前記選択画面に含める前記連続撮影画像を遷移させるような構成とされ得る。
【００１３】
このような構成とした場合、前記第１の操作オブジェクトは、スライド操作の対象となるオブジェクトであり、前記撮影制御部は、前記第１の操作オブジェクトに対する前記スライド操作のスライド量に応じて、前記選択画面に含める前記連続撮影画像を遷移させるような構成とされ得る。
【００１４】
本態様に係る撮影装置において、前記撮影制御部は、前記連続撮影画像とは異なる撮影画像を前記撮影部により連続的に撮影して、撮影された撮影画像が順次表示される参照画面を表示部に表示するとともに、第２の操作オブジェクトを前記参照画面に含め、前記操作受付部は、前記第２の操作オブジェクトに対する前記タッチ操作を前記第１の操作として受け付けるような構成とされ得る。
【００１５】
本発明の第２の態様に係るプログラムは、表示部と、撮影画像を取得する撮影部と、操作を受け付ける操作受付部と、第１の記憶部および第２の記憶部と、を備える撮影装置のコンピュータに、前記撮影部により所定の時間間隔で撮影された連続撮影画像を前記第１の記憶部に一時的に記憶する機能と、前記操作受付部が、第１の操作を受け付けると、前記第１の記憶部に記憶された連続撮影画像群の中からユーザが所定の撮影画像を選択するための選択画面を前記表示部に表示する機能と、前記操作受付部が撮影画像を選択する操作を受け付けると、選択された撮影画像を第２の記憶部に記憶する機能を付与する。
【００１６】
本発明の第３の態様は、表示部と、撮影画像を取得する撮影部と、操作を受け付ける操作受付部と、第１の記憶部および第２の記憶部と、を備える撮影装置の制御方法に関する。本態様に係る制御方法は、前記撮影部により所定の時間間隔で撮影された連続撮影画像を前記第１の記憶部に一時的に記憶するステップと、前記操作受付部が、第１の操作を受け付けると、前記第１の記憶部に記憶された連続撮影画像群の中からユーザが所定の撮影画像を選択するための選択画面を前記表示部に表示するステップと、前記操作受付部が撮影画像を選択する操作を受け付けると、選択された撮影画像を第２の記憶部に記憶するステップと、を含む。
【発明の効果】
【００１７】
本発明によれば、適切な撮影タイミングの撮影画像を容易に取得可能な撮影装置、プログラムおよび撮影装置の制御方法を提供することができる。
【００１８】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１９】
【図１】実施の形態に係る、携帯電話機の構成を示す図である。
【図２】実施の形態に係る、携帯電話機の全体構成を示すブロック図である。
【図３】実施の形態に係る、撮影画像一時記憶テーブル、および撮影画像保存テーブルの構成を示す図である。
【図４】実施の形態に係る、ホーム画面を示す図である。
【図５】実施の形態に係る、撮影制御処理を示すフローチャートである。
【図６】実施の形態に係る、連続撮影処理を示すフローチャートである。
【図７】実施の形態に係る、プレビュー処理を示すフローチャートである。
【図８】実施の形態に係る、プレビュー画面とポストビュー画面を示す図である。
【図９】実施の形態に係る、ポストビュー画面の画面遷移を示す図である。
【図１０】実施の形態に係る、ポストビュー画面の画面遷移を示す図である。
【図１１】変更例１に係る、ポストビュー画面の画面遷移を示す図である。
【図１２】変更例２に係る、ポストビュー画面の画面遷移を示す図である。
【図１３】変更例３に係る、ポストビュー画面の画面遷移を示す図である。
【図１４】変更例４に係る、ポストビュー画面の画面遷移を示す図である。
【発明を実施するための形態】
【００２０】
以下、本発明の実施形態について、図面を参照して説明する。
【００２１】
図１（ａ）、（ｂ）および（ｃ）は、それぞれ、携帯電話機１の正面図、背面図および右側面図である。以下、説明の便宜上、図１（ａ）〜（ｃ）に示すように、キャビネット２の長手方向を上下方向と定義し、キャビネット２の短手方向を左右方向と定義する。
【００２２】
携帯電話機１は、キャビネット２と、ディスプレイ３と、フロントタッチパネル４と、マイクロフォン５と、通話スピーカ６と、外部スピーカ７と、カメラ８と、を備えている。
【００２３】
キャビネット２は、正面から見て、ほぼ長方形状の輪郭を有する。キャビネット２の正面に、ディスプレイ３が配されている。ディスプレイ３には、各種の画像（画面）が表示される。ディスプレイ３は、たとえば、液晶ディスプレイである。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２４】
キャビネット２の内部には、下端部にマイクロフォン５が配されており、上端部に通話スピーカ６が配されている。マイクロフォン５には、キャビネット２の正面に形成されたマイク孔５ａを通じて音声が入力される。マイクロフォン５は、入力された音に応じた電気信号を生成する。通話スピーカ６からは、音声が出力される。出力された音声は、キャビネット２の正面に形成された出力孔６ａを通じて外部に放出される。通話の際には、通信先の機器（携帯電話機等）から受信された受話音声が通話スピーカ６から出力され、ユーザが発した発話音声がマイクロフォン５に入力される。
【００２５】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００２６】
キャビネット２の内部には、カメラ８が配されている。キャビネット２の背面には、レンズ窓８ａが設けられており、レンズ窓８ａを通じて被写体の像がカメラ８に取り込まれる。
【００２７】
図２は、携帯電話機１の全体構成を示すブロック図である。携帯電話機１は、制御部１１と、主記憶部１２と、補助記憶部１３と、画像出力部１４と、タッチ検出部１５と、角度検出部１６と、音声入力部１７と、音声出力部１８と、音声処理部１９と、撮影部２０と、キー入力部２１と、通信部２２を備えている。
【００２８】
主記憶部１２は、ＲＡＭ等、制御部１１が直接、高速でアクセス可能な一時記憶媒体から構成される。主記憶部１２には、プログラム実行の際、一次的に利用または生成されるデータを記憶する図示しないワーキング領域が含まれる。
【００２９】
補助記憶部１３は、ＲＯＭ、ＲＡＭ、外部メモリー等から構成される。補助記憶部１３には、各種のプログラムが記憶されている。補助記憶部１３に記憶されるプログラムは、携帯電話機１の各部を制御するための制御プログラムの他、各種アプリケーション（たとえば、電話、電子メール、電話帳、地図、ゲーム、スケジュール管理、等）を含む。プログラムは、メーカによって携帯電話機１の製造時に補助記憶部１３に記憶される他、ユーザによって通信網やメモリカード等の記憶媒体を介して補助記憶部１３に記憶される。
【００３０】
主記憶部１２には、図３（ａ）に示す撮影画像一時記憶テーブル１２ａが記憶されている。撮影画像一時記憶テーブル１２ａには、ユーザがカメラ８のシャッターを作動させた前後の撮影画像が、所定の時間間隔の撮影タイミングごとに記録される。撮影タイミングＴｉは、ユーザがシャッターを作動させた直後の撮影タイミングであり、撮影タイミングＴｓは、最も古い撮影タイミングであり、撮影タイミングＴｅは、最も新しい撮影タイミングである。撮影タイミングは、たとえば、１／３０秒ごとに到来する。撮影画像一時記憶テーブル１２ａは、撮影タイミングＴｓ〜Ｔｅの回数分の撮影画像を登録するための容量を有している。撮影画像一時記憶テーブル１２ａの容量が上限に到達した場合、制御部１１は、最も古い撮影タイミングＴｓの撮影画像に最新の撮影画像を上書きする。
【００３１】
補助記憶部１３には、図３（ｂ）に示す撮影画像保存テーブル１３ａが記憶されている。撮影画像保存テーブル１３ａには、撮影日時、ユーザがカメラ８で撮影した保存画像が記録される。なお、撮影画像保存テーブル１３ａには、この他、カメラ８の機種名、解像度、撮影条件等が記録されていても良い。
【００３２】
制御部１１は、ＣＰＵ等から構成されている。制御部１１は、プログラムに従って、携帯電話機１を構成する各部（制御部１１と、主記憶部１２と、補助記憶部１３と、画像出力部１４と、タッチ検出部１５と、角度検出部１６と、音声入力部１７と、音声出力部１８と、音声処理部１９と、撮影部２０と、キー入力部２１と、通信部２２等）を制御する。
【００３３】
画像出力部１４は、図１に示すディスプレイ３等から構成される。画像出力部１４は、制御部１１からの制御信号と画像信号に基づき、ディスプレイ３に画像（画面）を表示する。
【００３４】
タッチ検出部１５は、図１に示すタッチパネル４を含み、タッチパネル４に対するタッチ操作を検出する。より具体的には、タッチ検出部１５は、タッチパネル４に対する、ユーザの指などの接触対象の接触位置（以下、「タッチ位置」と称する）を検出する。タッチ検出部１５は、検出したタッチ位置に基づいて生成された位置信号を制御部１１へ出力する。
【００３５】
ユーザは、タッチパネル４に指を触れることにより各種のタッチ操作を行うことができる。タッチ操作の種類として、タップ操作、フリック操作、スライド操作、ドラッグ操作、ロングタップ操作等が挙げられる。タップ操作は、タッチパネル４に指を接触させた後、短時間のうちにタッチパネル４より指を離す操作である。フリック操作は、タッチパネル４を指で任意の方向に弾く操作である。スライド操作は、タッチパネル４に指を接触させたまま任意の方向へ移動させる操作である。ドラッグ操作は、スライド操作が行われた後、タッチパネル４から指を離す操作である。フリック操作、スライド操作およびドラッ
グ操作は、タッチ位置の移動を伴うタッチ操作である。ロングタップ操作は、タッチパネル４に指を接触させた後、しばらくの間接触を維持し、タッチパネル４から指を離す操作である。
【００３６】
タッチ操作についてより具体的に説明する。たとえば、タッチ検出部１５によりタッチパネル４に対するタッチ位置が検出された後、予め定めた第１時間以内にタッチ位置が検出されなくなった場合、即ち、タッチパネル４より指を離す操作があった場合、制御部１１によりタップ操作がなされたと判定される。タッチ検出部１５によりタッチパネル４に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１５によりタッチパネル４に対するタッチ位置が検出された後、予め定めた第２距離以上タッチ位置が移動すると、制御部１１によりスライド操作がなされたと判定される。タッチ検出部１５によりタッチパネル４に対するタッチ位置が検出された後、予め定めた第３時間以上タッチ位置が検出され続け、さらにその後、タッチ位置が検出されなくなった場合、制御部１１によりロングタップ操作がなされたと判定される。
【００３７】
角度検出部１６は、加速度センサ、角度検出回路等から構成される。角度検出部１６は、キャビネット２の傾き角の変化を検出し、傾き角の変化に応じた電気信号を制御部１１へ出力する。
【００３８】
音声入力部１７は、マイクロフォン５等から構成される。音声入力部１７は、マイクロフォン５からの電気信号を音声処理部１９へ出力する。
【００３９】
音声出力部１８は、通話スピーカ６および外部スピーカ７を含む。音声出力部１８には、音声処理部１９からの電気信号が入力され、通話スピーカ６または外部スピーカ７から音（音声、報知音等）が出力される。
【００４０】
音声処理部１９は、音声入力部１７からの電気信号にＡ／Ｄ変換等を施し、変換後のデジタルの音声信号を制御部１１へ出力する。音声処理部１９は、制御部１１からのデジタルの音声信号にデコード処理およびＤ／Ａ変換等を施し、変換後の電気信号を音声出力部１８に出力する。
【００４１】
撮影部２０は、図１に示すＣＭＯＳイメージセンサを備えたカメラ８、撮像制御回路等により構成される。撮影部２０は、電子シャッターの機能により、ＣＭＯＳイメージセンサの露光時間を調整し、所望の明るさの画像データを取得する。撮影部２０は、カメラ８により撮影された画像の画像データに各種の画像処理を施し、画像処理後の画像データを制御部１１に出力する。
【００４２】
撮影部２０は、ＣＭＯＳイメージセンサに結像した画像を低解像度で制御部１１に出力するモニタモードの機能と、ＣＭＯＳイメージセンサに結像した画像を高解像度で制御部１１に出力する静止画撮影モードの機能とを有する。モニタモードは、低解像度の画像を動画としてディスプレイ３に表示し、ユーザが撮影時の被写体の状態を確認するために用いられる。静止画撮影モードは、カメラ８のシャッターを作動させたタイミングの高解像度の画像を静止画として、補助記憶部１３の撮影画像保存テーブル１３ａに保存するために用いられる。撮影部２０は、時分割制御により、並列して低解像の画像と高解像度の画像を取得する。
【００４３】
キー入力部２１は、携帯電話機１に電源を投入するための電源キーなど、携帯電話機１に配された各種ハードキー（図示せず）を含む。キー入力部２１は、何れかのハードキー
が押下されると、押下されたハードキーに応じた信号を制御部１１へ出力する。
【００４４】
通信部２２は、通話や通信を行うための信号を変換するための回路や電波を送受信するためのアンテナ等を備える。通信部２２は、制御部１１から入力される通話や通信のための信号を無線信号に変換し、変換された無線信号を、アンテナを介して基地局や他の通信装置等の通信先へ送信する。さらに、通信部２２は、アンテナを介して受信した無線信号を制御部１１が利用できる形式の信号へ変換し、変換された信号を制御部１１へ出力する。
【００４５】
図４（ａ）は、ホーム画面の一例を示す図である。図４（ｂ）は、携帯電話機１を左右方向に傾けた場合のホーム画面の一例を示す図である。
【００４６】
ホーム画面は、各種のアプリケーションに対応するアイコン１０１を含む。ユーザにより、何れかアイコン１０１に対してタップ操作がなされると、そのアイコン１０１に対応するアプリケーションが起動する。
【００４７】
さらに、ホーム画面は、操作キー群１０２を含む。操作キー群１０２は、設定キー１０２ａ、ホームキー１０２ｂ、およびバックキー１０２ｃから構成されている。設定キー１０２ａは、主に、各種設定を行う設定画面をディスプレイ３に表示させるためのキーである。ホームキー１０２ｂは、主に、ディスプレイ３の表示を他の画面からホーム画面に移行させるためのキーである。バックキー１０２ｃは、主に、実行された処理を１ステップ前の処理に戻すためのキーである。
【００４８】
さらに、ホーム画面は、上端にピクト領域ＰＣを含む。
【００４９】
ピクト領域ＰＣ、アイコン１０１、および操作キー群１０２は、ユーザが携帯電話機１を左右方向に傾けることにより、図４（ｂ）に示すように再配列される。
【００５０】
本実施の形態の携帯電話機１は、適切な撮影タイミングの被写体を容易に取得可能な撮影制御機能を有している。
【００５１】
図５は、撮影制御処理を示すフローチャートである。図５の撮影制御処理は、ホーム画面に配されたアイコン１０１のうち、カメラ機能のアプリケーションに対応するアイコンに対してタップ操作がなされることにより開始される。携帯電話機１にカメラ機能のアプリケーションに対応するハードキーが備えられている場合は、図５の撮影制御処理が、アイコンに対する操作だけでなく、ハードキーが押下されることによっても開始されて良い。
【００５２】
カメラ機能のアプリケーションが起動されると、制御部１１は、撮影部２０の静止画撮影モードの機能により、高解像度の画像を連続して取得する連続撮影処理を開始する（Ｓ１０１）。
【００５３】
図６は、連続撮影処理を示すフローチャートである。図６の連続撮影処理は、図５の撮影制御処理、図７のプレビュー処理とともに、並列して実行される。
【００５４】
図６を参照して、制御部１１は、撮影部２０に対して、静止画撮影モードの開始設定処理を行う（Ｓ１１）。静止画撮影モードの開始設定処理には、たとえば、ＣＭＯＳイメージセンサに結像した画像を高解像度で取得するために必要な各種パラメータの有効化処理、所定の第１撮影タイミングを定義する処理等が含まれる。制御部１１は、撮影回数をカウントする変数ｎに１をセットする（Ｓ１２）。制御部１１は、第１撮影タイミングが到
来したか否かを判定する（Ｓ１３）。第１撮影タイミングの間隔は、たとえば、１／３０秒に設定される。
【００５５】
第１撮影タイミングが到来していない場合（Ｓ１３：ＮＯ）、制御部１１は、撮影制御処理におけるＳ１０５の処理により連続撮影処理が停止されない限り（Ｓ１４：ＮＯ）、処理をＳ１３に戻し、第１撮影タイミングの到来の判定処理を繰り返す。
【００５６】
第１撮影タイミングが到来すると（Ｓ１３：ＹＥＳ）、制御部１１は、撮影部２０により、目標領域を高解像度で撮影する（Ｓ１５）。制御部１１は、撮影部２０から出力された高解像度の撮影画像Ｐｎを主記憶部１２の撮影画像一時記憶テーブル１２ａに記憶する（Ｓ１６）。制御部１１は、変数ｎが所定の閾値ｓｈに到達したか否かを判定する（Ｓ１７）。所定の閾値ｓｈは、撮影画像一時記憶テーブル１２ａに記録する撮影画像の最大枚数に設定される。たとえば、第１撮影タイミングの間隔が１／３０秒であって、２秒間の撮影画像を蓄積する場合、閾値ｓｈは６０に設定される。変数ｊが所定の閾値ｓｈに到達していない場合（Ｓ１７：ＮＯ）、制御部１１は、変数ｎに１を加算し（Ｓ１８）、処理をＳ１３に戻し、次の第１撮影タイミングの到来を判定する。
【００５７】
変数ｊが所定の閾値ｓｈに到達した場合（Ｓ１７：ＹＥＳ）、制御部１１は、処理をＳ１２に戻し、変数ｎに１をセットする。これにより、最も古い第１撮影タイミングで撮影された撮影画像が、次の第１撮影タイミングで撮影された撮影画像に、上書きされる。
【００５８】
以上の連続撮影処理が、制御部１１により停止されるまで繰り返し実行される。
【００５９】
図５に戻り、制御部１１は、連続撮影処理に並列して、撮影部２０のモニタモードの機能により低解像度の画像を連続して取得し、ディスプレイ３にプレビュー画面Ｖ１を表示する処理を開始する（Ｓ１０２）。
【００６０】
図７は、プレビュー処理を示すフローチャートである。図７のプレビュー処理は、図５の撮影制御処理、図６の連続撮影処理とともに、並列して実行される。
【００６１】
図７を参照して、制御部１１は、撮影部２０に対して、モニタモードの開始設定処理を行う（Ｓ２１）。モニタモードの開始設定処理は、たとえば、ＣＭＯＳイメージセンサに結像した画像を低解像度で取得するために必要な各種パラメータの有効化処理、第１撮影タイミングとは異なる第２撮影タイミングを定義する処理等が含まれる。制御部１１は、画像出力部１４を制御することにより、ディスプレイ３にプレビュー画面Ｖ１を表示する（Ｓ２２）。そして、制御部１１は、第２撮影タイミングが到来したか否かを判定する（Ｓ２３）。第１撮影タイミングの間隔は、たとえば、１／３０秒に設定される。
【００６２】
第２撮影タイミングが到来していない場合（Ｓ２３：ＮＯ）、制御部１１は、撮影制御処理におけるＳ１０６の処理によりプレビュー処理が停止されない限り（Ｓ２４：ＮＯ）、処理をＳ２２に戻し、第２撮影タイミングの判定処理を繰り返す。
【００６３】
第２撮影タイミングが到来すると（Ｓ２３：ＹＥＳ）、制御部１１は、撮影部２０により、目標領域を低解像度で撮影する（Ｓ２５）。制御部１１は、撮影部２０から出力された低解像度の撮影画像Ｌ１を画像出力部１４に出力し、図８（ａ）に示すように、プレビュー画面Ｖ１に撮影画像Ｌ１を表示する（Ｓ２６）。そして、処理をＳ２３に戻し、次の第２撮影タイミングの到来を判定する。
【００６４】
以上のプレビュー処理が、制御部１１により停止されるまで繰り返し実行される。
【００６５】
図８（ａ）は、プレビュー画面Ｖ１を示す図である。なお、図８（ａ）は、図４（ｂ）に示すように携帯電話機１を左右方向に傾けた場合の画面表示例である。また、以降の画面表示例も同様である。
【００６６】
プレビュー画面Ｖ１には、シャッターアイコンＣ１と、表示エリアＡ１が含まれる。表示エリアＡ１には、所定の第２撮影タイミングで撮影された低解像度の撮影画像Ｌ１が表示される。撮影画像Ｌ１は、１／３０秒間隔で更新される。すなわち、プレビュー画面Ｖ１には、３０ｆｐｓ（flames per second）の動画が表示される。ユーザは、プレビュー画面Ｖ１を見ることにより、撮影時の被写体の状態を確認することができる。
【００６７】
図５に戻り、連続撮影処理とプレビュー処理を開始すると、制御部１１は、プレビュー画面Ｖ１のシャッターアイコンＣ１に対してタップ操作がなされた否かを判定する（Ｓ１０３）。
【００６８】
シャッターアイコンＣ１に対してタップ操作がなされていない場合（Ｓ１０３：ＮＯ）、制御部１１は、ホームキー１０２ｂまたはバックキー１０２ｃに対してタップ操作がなされたか否かを判定する（Ｓ１０４）。ホームキー１０２ｂまたはバックキー１０２ｃに対してタップ操作がなされていない場合（Ｓ１０４：ＮＯ）、制御部１１は、処理をＳ１０３に戻し、シャッターアイコンＣ１に対するタップ操作がなされたか否かを判定する処理を繰り返す。ホームキー１０２ｂまたはバックキー１０２ｃに対してタップ操作がなされた場合（Ｓ１０４：ＹＥＳ）、制御部１１は、連続撮影処理とプレビュー処理を停止し（Ｓ１０５、Ｓ１０６）、撮影制御処理を終了する。
【００６９】
シャッターアイコンＣ１に対してタップ操作がなされた場合（Ｓ１０３：ＹＥＳ）、制御部１１は、シャッターアイコンＣ１に対してタップ操作がなされてから所定時間が経過したか否かを判定する（Ｓ１０７）。所定時間は、たとえば、１秒間に設定される。所定時間が経過していない場合（Ｓ１０７：ＮＯ）、制御部１１は、所定時間が経過するのを待つ。これにより、１秒の間、連続撮影処理が継続され、シャッターアイコンＣ１に対してタップ操作がなされた後に撮影された３０枚分の高解像度の撮影画像が撮影画像一時記憶テーブル１２ａに蓄積される。このとき、撮影画像一時記憶テーブル１２ａには、シャッターアイコンＣ１に対してタップ操作がなされる前の１秒間に撮影された３０枚分の高解像度の撮影画像も蓄積されており、合計６０枚分の撮影画像が蓄積されている。
【００７０】
所定時間が経過すると（Ｓ１０７：ＹＥＳ）、制御部１１は、連続撮影処理とプレビュー処理を停止し（Ｓ１０８、Ｓ１０９）、ポストビュー画面Ｖ２をディスプレイ３に表示する（Ｓ１１０）。そして、制御部１１は、撮影画像一時記憶テーブル１２ａからシャッターアイコンＣ１に対してタップ操作がなされた直後のタイミングの撮影画像Ｐｉを読み出して画像出力部１４に出力し、図８（ｂ）に示すように、ポストビュー画面Ｖ２に撮影画像Ｐｉを表示する（Ｓ１１１）。さらに、制御部１１は、ポストビュー画面Ｖ２にスライドシャッターバーＢ１を表示する（Ｓ１１２）。
【００７１】
図８（ｂ）は、ポストビュー画面Ｖ２を示す図である。
【００７２】
ポストビュー画面Ｖ２には、表示エリアＡ２とスライドシャッターバーＢ１が含まれる。表示エリアＡ２には、所定の第１撮影タイミングで撮影された高解像度の撮影画像が表示される。図８（ｂ）では、シャッターアイコンＣ１に対してタップ操作がなされた直後の撮影画像Ｐｉが表示されている。スライドシャッターバーＢ１は、ノブＢ１ａを備える。ノブＢ１ａは、スライドシャッターバーＢ１に沿って、左右方向にドラッグ操作されることが可能となっている。図８（ｂ）では、ノブＢ１ａは、スライドシャッターバーＢ１の中央に位置付けられている。
【００７３】
図５に戻り、制御部１１は、ノブＢ１ａに対してドラッグ操作がなされたか否かを判定する（Ｓ１１３）。ノブＢ１ａに対してドラッグ操作がなされた場合（Ｓ１１３：ＹＥＳ）、制御部１１は、ノブＢ１ａの中央位置からのスライド量に応じた撮影画像を表示する（Ｓ１１４）。制御部１１は、表示された撮影画像に対してタップ操作がなされたか否かを判定する（Ｓ１１５）。表示された撮影画像に対してタップ操作がなされていない場合（Ｓ１１５：ＮＯ）、制御部１１は、処理をＳ１１３に戻し、撮影画像の選択処理を繰り返す。
【００７４】
図９（ａ）〜図９（ｄ）は、ポストビュー画面Ｖ２の画面遷移例を示す図である。
【００７５】
図９（ａ）のように、ノブＢ１ａに対してスライドシャッターバーＢ１の中央位置から右方向にドラッグ操作がなされた場合、表示エリアＡ２には、中央位置から右方向へのスライド量に応じて、シャッターアイコンＣ１に対してタップ操作がなされた後に撮影された撮影画像Ｐｉ＋ｊが表示される。撮影画像Ｐｉ＋ｊは、たとえば、シャッターアイコンＣ１に対してタップ操作がなされた０．５秒後に撮影された撮影画像である。
【００７６】
さらに、図９（ｂ）のように、ノブＢ１ａに対してスライドシャッターバーＢ１の右端までドラッグ操作がなされた場合、表示エリアＡ２には、シャッターアイコンＣ１に対してタップ操作がなされた後に撮影された最新の撮影画像Ｐｅが表示される。撮影画像Ｐｅは、たとえば、シャッターアイコンＣ１に対してタップ操作がなされた１秒後に撮影された撮影画像である。
【００７７】
図９（ｃ）のように、ノブＢ１ａに対してスライドシャッターバーＢ１の中央位置から左方向にドラッグ操作がなされた場合、表示エリアＡ２には、中央位置から左方向へのスライド量に応じて、シャッターアイコンＣ１に対してタップ操作がなされる前に撮影された撮影画像Ｐｉ−ｊが表示される。撮影画像Ｐｉ−ｊは、たとえば、シャッターアイコンＣ１に対してタップ操作がなされた０．５秒前に撮影された撮影画像である。
【００７８】
さらに、図９（ｄ）のように、ノブＢ１ａに対してスライドシャッターバーＢ１の左端までドラッグ操作がなされた場合、表示エリアＡ２には、シャッターアイコンＣ１に対してタップ操作がなされる前に撮影された最も古い撮影画像Ｐｓが表示される。撮影画像Ｐｓは、たとえば、シャッターアイコンＣ１に対してタップ操作がなされた１秒前に撮影された撮影画像である。
【００７９】
このように、ユーザは、スライドシャッターバーＢ１のノブＢ１ａに対して任意の位置にドラッグ操作を行うことにより、シャッターアイコンＣ１に対してタップ操作を行った前後に撮影した撮影画像から、所望の撮影画像を選択することができる。本実施の形態では、シャッターアイコンＣ１に対してタップ操作がなされる前の１秒間と、シャッターアイコンＣ１に対してタップ操作がなされた後の１秒間に撮影された６０枚の撮影画像から最適な撮影タイミングの撮影画像を選択することができる。
【００８０】
図５に戻り、ユーザが選択した撮影画像に対してタップ操作がなされると（Ｓ１１５：ＹＥＳ）、制御部１１は、タップ操作がなされたときにポストビュー画面Ｖ２に表示されている１枚の撮影画像を補助記憶部１３の撮影画像保存テーブル１３ａに保存する（Ｓ１１６）。
【００８１】
図１０（ａ）、図１０（ｂ）は、撮影画像の保存時の画面遷移例を示す図である。
【００８２】
図１０（ａ）に示すポストビュー画面Ｖ２では、ノブＢ１ａがスライドシャッターバー
Ｂ１の中央位置から左方向に進んだ位置に位置付けられており、表示エリアＡ２には、ユーザの所望の撮影画像Ｐｉ−ｊが表示されている。この状態で、撮影画像Ｐｉ−jに対してタップ操作がなされると、図１０（ｂ）に示すように、撮影画像が保存されたことを伝えるメッセージが記載されたウィンドウ１１１が表示される。なお、ウィンドウ１１１の表示処理に加え、または代えて、撮影画像が保存されたことをユーザが認知することが可能な報知音、振動、画面エフェクト等の処理が実行されても良い。
【００８３】
こうして、図３（ｂ）に示すように、撮影画像保存テーブル１３ａに、撮影日時と関連付けられて、撮影画像が保存される。
【００８４】
図５に戻り、制御部１１は、スライドシャッターバーＢ１を消去し（Ｓ１１７）、処理をＳ１０１に戻す。これにより、制御部１１は、再度、連続撮影処理とプレビュー処理を開始して（Ｓ１０１、Ｓ１０２）、シャッターアイコンＣ１、ホームキー、バックキーがタップされるか否かを判定する処理（Ｓ１０３、Ｓ１０４）を繰り返す。
【００８５】
以上、本実施の形態によれば、ユーザは、ポストビュー画面Ｖ２に配されたスライドシャッターバーＢ１のノブＢ１ａに対してスライド操作を行うことにより、適切な撮影タイミングの撮影画像を容易に選択することができる。
【００８６】
また、本実施の形態によれば、連続撮影処理にて撮影された撮影画像は主記憶部１２の撮影画像一時記憶テーブル１２ａに保存され、ポストビュー画面Ｖ２でユーザが選択した撮影画像のみが補助記憶部１３に保存される。このため、補助記憶部１３に必要な容量を抑えることができる。さらに、従来の連写機能に比べ、ユーザは、不要な撮影画像を削除するといった手間を省くことができる。
【００８７】
また、本実施の形態によれば、シャッターアイコンＣ１に対してタップ操作が行われる前から撮影が開始される。そのため、シャッターアイコンＣ１に対してタップ操作が行われる前の撮影タイミングの撮影画像が保存される。よって、ユーザは、シャッターアイコンＣ１に対するタップ操作を適正な撮影タイミングから遅れて行ったとしても、適正な撮影タイミングの撮影画像を得ることができる。
【００８８】
また、本実施の形態によれば、シャッターアイコンＣ１に対してタップ操作が行われた後、所定時間の間、撮影が継続される。そのため、シャッターアイコンＣ１に対してタップ操作が行われた後の撮影タイミングの撮影画像が保存される。よって、ユーザは、シャッターアイコンＣ１に対するタップ操作が適正な撮影タイミングよりも早く行ったとしても、適正な撮影タイミングの撮影画像を得ることができる。
【００８９】
また、本実施の形態によれば、ポストビュー画面Ｖ２には、シャッターアイコンＣ１に対してタップ操作がなされた直後の撮影画像が最初に表示される。通常、適正な撮影タイミングは、ユーザがシャッターアイコンＣ１に対してタップ操作を行ったタイミングから大きく相違しないため、ユーザは、適正な撮影画像を容易に選択することができる。
【００９０】
また、本実施の形態によれば、ポストビュー画面Ｖ２には、スライドシャッターバーＢ１が表示されるため、ユーザは、シャッターアイコンＣ１に対してタップ操作を行ったタイミングから前または後の撮影画像を迅速に選択することができる。
【００９１】
＜変更例１＞
上記実施の形態では、ポストビュー画面Ｖ２の画面下部にスライドシャッターバーＢ１が表示されたが、変更例１では、ポストビュー画面Ｖ２の右端部に表示される。
【００９２】
図１１（ａ）〜図１１（ｄ）は、変更例１に係る、プレビュー画面Ｖ１、ポストビュー画面Ｖ２の画面遷移例を示す図である。
【００９３】
図１１（ａ）に示すように、変更例１では、プレビュー画面Ｖ１の右端部にシャッターアイコンＣ２が配される。シャッターアイコンＣ２に対してタップ操作がなされると、図１１（ｂ）に示すように、ポストビュー画面Ｖ２が表示される。変更例１では、ポストビュー画面Ｖ２の右端部にスライドシャッターバーＢ２が表示される。
【００９４】
図１１（ｃ）のように、ノブＢ２ａに対してスライドシャッターバーＢ２の中央位置から下方向にドラッグ操作がなされた場合、表示エリアＡ２には、中央位置から下方向へのスライド量に応じて、シャッターアイコンＣ２に対してタップ操作がなされた後に撮影された撮影画像Ｐｉ＋ｊが表示される。
【００９５】
また、図９（ｄ）のように、ノブＢ２ａに対してスライドシャッターバーＢ１の中央位置から上方向にドラッグ操作がなされた場合、表示エリアＡ２には、中央位置から上方向へのスライド量に応じて、シャッターアイコンＣ２に対してタップ操作がなされる前に撮影された撮影画像Ｐｉ−ｊが表示される。
【００９６】
本変更例の構成とすれば、上記の実施の形態同様、ユーザは、適切な撮影タイミングの撮影画像を容易に選択することができる。
【００９７】
また、本変更例の構成とすれば、シャッターアイコンＣ２、スライドシャッターバーＢ２は、プレビュー画面Ｖ１、ポストビュー画面Ｖ２の右端部に配されるため、たとえば、携帯電話機１を左右に傾けて右手で携帯電話機１を把持している状態で、同じ右手の親指でタップ操作を行うことができる。したがって、ユーザは、撮影にかかる操作を片手で行うことができる。
【００９８】
なお、本変更例では、シャッターアイコンＣ２、スライドシャッターバーＢ２は、プレビュー画面Ｖ１、ポストビュー画面Ｖ２の右端部に配されたが、プレビュー画面Ｖ１、ポストビュー画面Ｖ２の左端部に配されても良いし、プレビュー画面Ｖ１、ポストビュー画面Ｖ２の左右の両端に配されていても良い。また、ユーザがプレビュー画面Ｖ１、ポストビュー画面Ｖ２の左右のどちらに配するかを設定によって切り替えることができても良い。
【００９９】
＜変更例２＞
上記実施の形態および変更例では、シャッターアイコンＣ１、Ｃ２がプレビュー画面Ｖ１に配されたが、キャビネット２の側面にシャッター機能を有するハードキーが備えられていても良い。
【０１００】
図１２（ａ）、図１２（ｂ）は、変更例２に係る、携帯電話機１の画面を示す図である。
【０１０１】
図１２（ａ）に示すように、変更例２では、キャビネット２の側面にシャッターキー２０１が配されている。たとえば、シャッターキー２０１は、携帯電話機１を左右に傾けたときにキャビネット２の右上の位置に位置する。プレビュー画面Ｖ１が表示されている状態において、ユーザがシャッターキー２０１を押下すると、図１２（ｂ）に示すように、ポストビュー画面Ｖ２が表示される。変更例２では、変更例１と同様に、ポストビュー画面Ｖ２の右端部にスライドシャッターバーＢ２が表示される。
【０１０２】
本変更例の構成とすれば、上記の実施の形態同様、ユーザは、適切な撮影タイミングの
撮影画像を容易に選択することができる。
【０１０３】
また、本変更例の構成とすれば、ユーザは、携帯電話機１を左右に傾けて右手で携帯電話機１を把持している状態で、同じ右手の親指でタップ操作を行うことができる。また、ユーザは、右手の人差指でシャッターキー２０１を操作できる。したがって、ユーザは、撮影にかかる操作を片手で行うことができる。
【０１０４】
また、本変更例では、携帯電話機１にシャッターキー２０１が配される構成を示したが、その他、シャッターキーを備えるデジタルカメラ等であっても、同様に本発明を適用することができる。この場合、タッチパネルに代えて、ジョグダイヤル等の撮影画像の表示選択にかかるハードキーがさらに配され、そのハードキーの操作に応じて、ユーザが最適な撮影画像を選択できるようにされても良い。
【０１０５】
＜変更例３＞
上記実施の形態および変更例では、スライドシャッターバーＢ１、Ｂ２のノブＢ１ａ、Ｂ２ａに対してドラッグ操作を行うことにより、撮影画像が選択されたが、変更例３は、表示中の撮影画像に対して左右方向のスライド操作に応じて、撮影画像が選択される。
【０１０６】
図１３（ａ）〜図１３（ｄ）は、変更例３に係る、ポストビュー画面Ｖ２の画面遷移例を示す図である。
【０１０７】
プレビュー画面Ｖ１において、シャッターアイコンＣ１に対してタップ操作がなされると、図１３（ａ）に示すように、ポストビュー画面Ｖ２に撮影画像Ｐｉが表示エリアＡ２に表示される。ポストビュー画面Ｖ２には、左右方向に撮影画像があることを示す矢印アイコンＣ１１、Ｓ１２が配される。
【０１０８】
図１３（ａ）のように、ユーザが撮影画像Ｐｉに対して右方向にスライド操作を行うと、図１３（ｂ）に示すように、表示エリアＡ２には、シャッターアイコンＣ１に対してタップ操作がなされる前に撮影された撮影画像Ｐｉ−ｊが表示される。
【０１０９】
また、図１３（ｃ）のように、ユーザが撮影画像Ｐｉに対して左方向にスライド操作を行うと、図１３（ｄ）に示すように、表示エリアＡ２には、シャッターアイコンＣ１に対してタップ操作がなされた後に撮影された撮影画像Ｐｉ＋ｊが表示される。
【０１１０】
本変更例の構成とすれば、上記の実施の形態同様、ユーザは、適切な撮影タイミングの撮影画像を容易に選択することができる。
【０１１１】
また、本変更例の構成とすれば、撮影画像を１枚ずつスライドさせて、最適な撮影画像を選択することができる。撮影画像の枚数がある程度少ない場合は、ユーザは、容易に最適な撮影画像を選択することができる。
【０１１２】
なお、スライド操作に加えて、または代えて、フリック操作により撮影画像が選択されてもよい。この場合、フリック操作においてディスプレイ３に指が接触していた長さに応じた撮影画像がポストビュー画面Ｖ２に表示される。
【０１１３】
＜変更例４＞
上記の実施の形態および変更例の他、ポストビュー画面Ｖ２においてユーザに撮影画像を選択させるインタフェースは、種々の構成が用いられ得る。
【０１１４】
たとえば、図１４（ａ）に示すように、ポストビュー画面Ｖ２にコマ送りアイコンＣ２
１、Ｃ２２と、始端アイコンＣ２３と、終端アイコンＣ２４が配されていても良い。
【０１１５】
この場合、コマ送りアイコンＣ２１に対してタップ操作がなされると、表示エリアＡ２には、シャッターアイコンＣ１に対してタップ操作がなされる前に撮影された撮影画像Ｐｉ−ｊが表示される。また、コマ送りアイコンＣ２２に対してタップ操作がなされると、表示エリアＡ２には、シャッターアイコンＣ１に対してタップ操作がなされた後に撮影された撮影画像Ｐｉ＋ｊが表示される。
【０１１６】
始端アイコンＣ２３に対してタップ操作がなされると、表示エリアＡ２には、シャッターアイコンＣ１に対してタップ操作がなされる前に撮影された最も古い撮影画像Ｐｓが表示される。終端アイコンＣ２４に対してタップ操作がなされると、表示エリアＡ２には、シャッターアイコンＣ１に対してタップ操作がなされた後に撮影された最新の撮影画像Ｐｅが表示される。
【０１１７】
本変更例の構成とすれば、上記の実施の形態同様、ユーザは、適切な撮影タイミングの撮影画像を容易に選択することができる。
【０１１８】
また、本変更例の構成が上記実施の形態および変更例１〜３の構成に組み合わせられても良い。
【０１１９】
さらには、図１４（ｂ）に示すように、ポストビュー画面Ｖ２の表示エリアＡ２に複数の撮影画像が表示され、複数の撮影画像から最適な撮影画像を選択できるようになっていても良い。表示エリアＡ２には、撮影された全ての撮影画像が縮小されて表示されても良いし、上下方向または左右方向の複数の画面に、撮影された撮影画像が配されていても良い。
【０１２０】
本変更例の構成とすれば、上記の実施の形態同様、ユーザは、適切な撮影タイミングの撮影画像を容易に選択することができる。
＜その他の変更例＞
以上、本発明の実施の形態および変更例について説明したが、本発明は、上記実施の形態等によって何ら制限されるものではなく、また、本発明の実施の形態も、上記以外に種々の変更が可能である。
【０１２１】
たとえば、上記実施の形態および変更例では、連続して撮影した複数の撮影画像から１枚の最適な撮影画像が選択され、撮影画像保存テーブル１３ａに保存されたが、任意の枚数の撮影画像が選択され、複数の枚数の撮影画像が撮影画像保存テーブル１３ａに保存されても良い。
【０１２２】
このような構成によれば、ユーザは、複数の好適な撮影タイミングの撮影画像を容易に選択して保存することができる。
【０１２３】
また、上記実施の形態および変更例では、ポストビュー画面Ｖ２には、まず、シャッターアイコンＣ１に対してタップ操作がなされた直後に撮影された撮影画像Ｐｉが表示されたが、シャッターアイコンＣ１に対してタップ操作がなされた直前に撮影された撮影画像Ｐｉ−１が表示されても良い。さらには、シャッターアイコンＣ１に対してタップ操作がなされた後に撮影された最新の撮影画像Ｐｅが表示されても良いし、シャッターアイコンＣ１に対してタップ操作がなされる前に撮影された最も古い撮影画像Ｐｓが表示されても良い。
【０１２４】
なお、通常、ユーザは、最適な撮影タイミングに狙いを定めて、シャッターアイコンＣ
１に対してタップ操作を行うため、適正な撮影タイミングは、ユーザがシャッターアイコンＣ１に対してタップ操作を行ったタイミングと大きく相違しない。したがって、ポストビュー画面Ｖ２に最初に表示される撮影画像は、シャッターアイコンＣ１に対してタップ操作がなされた直後に撮影された撮影画像Ｐｉ、シャッターアイコンＣ１に対してタップ操作がなされた直前に撮影された撮影画像Ｐｉ−１のうち、ユーザがシャッターアイコンＣ１に対してタップ操作を行ったタイミングに近い撮影タイミングで撮影された撮影画像が表示されることが望ましい。
【０１２５】
また、上記実施の形態および変更例では、連続撮影処理を行う撮影制御処理のみが実行されたが、従来の単発で静止画を撮影する撮影制御処理が実行されても良い。この場合、従来の撮影制御処理と、本実施の形態における撮影制御処理が、プレビュー画面Ｖ１に表示されるメニュー等によって切り替えられてもよい。または、本実施の形態における撮影制御処理専用のアイコンと、従来の撮影制御処理専用のアイコンがホーム画面に配されても良い。
【０１２６】
また、上記実施の形態では、カメラ８のイメージセンサとして、ＣＭＯＳイメージセンサが用いられたが、これに代えて、ＣＣＤイメージセンサが用いられても良い。ただし、本実施の形態では、高解像度の画像を連続して撮影する必要が有り、ＣＭＯＳイメージセンサは、ＣＣＤイメージセンサに比べ、消費電力と高速応答性に優れるため、本実施の形態のように、ＣＭＯＳイメージセンサが用いられることが望ましい。
【０１２７】
また、上記実施の形態では、シャッターアイコンＣ１に対してタップ操作がなされる前後１秒間の撮影画像が３０ｆｐｓで撮影画像一時記憶テーブル１２ａに蓄積されたが、撮影画像一時記憶テーブル１２ａに蓄積される撮影画像の枚数、撮影間隔はこれに限られない。主記憶部１２の容量、および制御部１１の処理能力に応じて、撮影画像の枚数、撮影間隔は、適正なパラメータに変更され得る。たとえば、主記憶部１２の大容量化が進めば、保存できる撮影画像の枚数を増やすことができ、長時間の撮影タイミングから最適な撮影画像を選択することができる。
【０１２８】
また、撮影画像一時記憶テーブル１２ａは、主記憶部１２に設けられたが、補助記憶部１３が高速応答可能であり、連続して撮影した撮影画像の保存処理が可能であれば、撮影画像一時記憶テーブル１２ａは、補助記憶部１３に設けられても良い。また、撮影画像保存テーブル１３ａは、補助記憶部１３に設けられたが、主記憶部１２に保持可能な領域が確保されていれば、主記憶部１２に撮影画像保存テーブル１３ａが設けられても良い。
【０１２９】
また、ポストビュー画面Ｖ２に表示される撮影画像Ｐｎは、プレビュー画面Ｖ１に表示される撮影画像Ｌ１よりも高解像度のものが用いられたが、これに限られるものではない。各ハードウェアの能力によっては、撮影画像Ｐｎが撮影画像Ｌ１と同程度の解像度であっても良い。
【０１３０】
本発明は、携帯電話機に限られず、カメラを有するＰＤＡ（PersonalDigital Assistant）、タブレットＰＣ（Tablet PC）、電子書籍端末等の各種の携帯端末装置に適用可能である。さらには、デジタルカメラ等の撮影装置にも適用可能である。
【０１３１】
この他、本発明の実施形態は、特許請求の範囲に示された技術的思想の範囲内において、適宜、種々の変更が可能である。
【符号の説明】
【０１３２】
３  ディスプレイ（表示部）
１５  タッチ検出部（操作受付部）
２１  キー入力部（操作受付部）
１１  制御部（撮影制御部）
１２  主記憶部（第１の記憶部）
１３  補助記憶部（第２の記憶部）
１４  画像出力部
２０  撮影部
２０１  シャッターボタン（操作受付部）
Ｂ１、Ｂ２  スライドシャッターバー（第１の操作オブジェクト）
Ｃ１  シャッターアイコン（第２の操作オブジェクト）
Ｐｎ  撮影画像（連続撮影画像）
Ｖ１  プレビュー画面（参照画面）
Ｖ２  ポストビュー画面（選択画面）
【図１】
2014183564.tif 000003
【図２】
2014183564.tif 000004
【図３】
2014183564.tif 000005
【図４】
2014183564.tif 000006
【図５】
2014183564.tif 000007
【図６】
2014183564.tif 000008
【図７】
2014183564.tif 000009
【図８】
2014183564.tif 000010
【図９】
2014183564.tif 000011
【図１０】
2014183564.tif 000012
【図１１】
2014183564.tif 000013
【図１２】
2014183564.tif 000014
【図１３】
2014183564.tif 000015
【図１４】
2014183564.tif 000016